(57)【特許請求の範囲】
【請求項１】
空気調和機本体に設置されたコイルと、このコイルへ熱媒体を供給する供給配管と、上記コイルから熱媒体を排出する排出配管と、この排出配管に設置された二方弁及びこの二方弁を迂回するバイパス配管を備えた二方弁装置と、を有する空気調和機において、
上記二方弁装置の上記バイパス配管が上記空気調和機本体内に設置され、上記二方弁装置の上記二方弁が上記空気調和機本体外に設置されたことを特徴とする空気調和機。
【請求項２】
上記供給配管と上記排出配管の少なくとも一方が、空気調和機本体に対し略鉛直方向に配設されたことを特徴とする請求項１に記載の空気調和機。
【請求項３】
上記供給配管、上記排出配管、上記バイパス配管が空気調和機本体を貫通する部分に第１タッピング部、第２タッピング部、第３タッピング部がそれぞれ設けられ、上記第２タッピング部と上記第３タッピング部が略鉛直に配置されるとともに、上記第３タッピング部が、上記第２タッピング部に対し、排出配管内を流れる熱媒体の下流側に設置されたことを特徴とする請求項１または２に記載の空気調和機。
【請求項４】
上記二方弁装置の上記二方弁は、排出配管において、第２タッピング部と第３タッピング部との間に設置されたことを特徴とする請求項３に記載の空気調和機。
【発明の詳細な説明】
【０００１】
【発明の属する技術分野】
本発明は空気調和機に係り、特にその配管レイアウトを改善した空気調和機に関する。
【０００２】
【従来の技術】
室内を冷房または暖房するための空気調和機１００は、図２に示すように、空気調和機本体１０１内にコイル１０２を備え、このコイル１０２へ供給配管１０３を用いて熱媒体を供給し、上記コイル１０２から排出配管１０４を用いて熱媒体を排出する間に、当該コイル１０２を介して、熱媒体と室内の空気とを熱交換するものである。
【０００３】
上記供給配管１０３，排出配管１０４が空気調和機本体１０１を貫通する部分に、保温及びシール用のタッピング部１０５、１０６がそれぞれ設置され、供給配管１０３、排出配管１０４は空気調和機本体１０１外では、主に水平に延在して配設される。この排出配管１０４において水平に延在する部分に、二方弁１０７及びその前後のバルブ１０８が設置される。これらの二方弁１０７及びバルブ１０８を迂回して、バイパス弁１１０を備えたバイパス配管１０９が配置される。上記二方弁１０７、バルブ１０８、バイパス配管１０９及びバイパス弁１１０が二方弁装置１１１を構成する。
なお、符号１２は、空気調和機本体１０１内へ室内空気を導入するための送風機であり、また、符号１１３はストレーナである。
【０００４】
【発明が解決しようとする課題】
上述のような空気調和機１００では、二方弁装置１１１が水平に配置されているため、その占有スペースが平面的に増大してしまう。
これを改善するために、二方弁装置１１１を空気調和機本体１０１に対し鉛直方向に配置することも考えられるが、この二方弁装置１１１には、二方弁１０７及びバルブ１０８に並列してバイパス配管１０９が設けられているため、やはり二方弁装置１１１、ひいては空気調和機１００の占有スペースを充分に減少させることができない。
【０００５】
本発明の目的は、上述の事情を考慮してなされたものであり、省スペース化を実現できる空気調和機を提供することにある。
【０００６】
【課題を解決するための手段】
上記目的を達成するために、空気調和機本体に設置されたコイルと、このコイルへ熱媒体を供給する供給配管と、上記コイルから熱媒体を排出する排出配管と、この排出配管に設置された二方弁及びこの二方弁を迂回するバイパス配管を備えた二方弁装置と、を有する空気調和機において、上記二方弁装置の上記バイパス配管が上記空気調和機本体内に設置され、上記二方弁装置の上記二方弁が上記空気調和機本体外に設置されたことを特徴とするものである。
上記供給配管と上記排出配管の少なくとも一方を、空気調和機本体に対し略鉛直方向に配設する構成とすればよい。
【０００７】
また、上記供給配管、上記排出配管、上記バイパス配管が空気調和機本体を貫通する部分に第１タッピング部、第２タッピング部、第３タッピング部がそれぞれ設けられ、上記第２タッピング部と上記第３タッピング部が略鉛直に配置されるとともに、上記第３タッピング部が、上記第２タッピング部に対し、排出配管内を流れる熱媒体の下流側に設置された構成とする。
斯かる構成において、上記二方弁装置の上記二方弁が、排出配管において、第２タッピング部と第３タッピング部との間に設置されたことを特徴とするものである。
【０００８】
上記構成によれば、次のような作用がある。
二方弁装置のバイパス配管が空気調和機本体内に設置されたことから、この二方弁装置を空気調和機本体の側面に沿って配設できるので、二方弁装置、ひいては空気調和機の省スペース化を実現できる。
【０００９】
また、操作が必要な二方弁装置の二方弁が空気調和機本体外に設置されたことから、この二方弁の操作性を向上させることができる。
また、供給配管と排出配管の少なくとも一方が、空気調和機本体に対し略鉛直方向に配設されたことから、これらの配管を水平配置する場合に比べ省スペース化できる。
【００１０】
更に、略鉛直配置された供給配管、排出配管に配設される弁などの機器を人の高さの範囲内に設置することができるので、これらの弁などの機器の操作性を向上させることができる。
【００１１】
【発明の実施の形態】
以下、本発明の実施の形態を、図面に基づき説明する。
図1は、本発明に係る空気調和装置の一実施の形態を示す斜視図である。
この図1に示す空気調和機１０は、空気調和機本体１１内にコイル１２及び送風機１３を備え、このコイル１２を介して熱媒体（冷水などの冷媒、または温水若しくは蒸気などの熱媒）と、上記送風機１３により空気調和機本体１１内に導入された室内空気とを熱交換し、この熱交換された空気を室内へ導出して、室内を冷房または暖房するものである。
【００１２】
上記コイル１２に供給配管１４及び排出配管１５が接続される。この供給配管１４により熱媒体がコイル１２へ供給され、上記排出配管１５により熱媒体がコイル１２から排出される。上記供給配管１４は、空気調和機本体１１外で略鉛直方向に延在し、空気調和機本体１１を貫通して空気調和機本体１１内へ延び、コイル１２に接続される。また、排出配管１５はコイル１２から、空気調和機本体１１を貫通して空気調和機本体１１外へ延び、空気調和機本体１１外で、供給配管１４と平行して略鉛直方向に延在する。
【００１３】
供給配管１４、排出配管１５が空気調和機本体１１と貫通する部分に第１タッピング部２１、第２タッピング部２２がそれぞれ設けられる。これらの第１タッピング部２１、第２タッピング部２２は、供給配管１４、排出配管１５のそれぞれが空気調和機本体１１を貫通した部分に保温材（不図示）を施し、この保温材上にシール材を付着して、空気調和機本体１１の貫通孔を密封するよう構成されたものである。
【００１４】
上記空気調和機本体１１における第２タッピング部２２の下流側部分、つまり空気調和機本体１１の外側部分には、二方弁１６が配設され、この二方弁１６を挟む一方側に前バルブ１７が、他方側に後バルブ１８がそれぞれ配設される。更に、排出配管１５には、これらの二方弁１６、前バルブ１７及び後バルブ１８を迂回するバイパス配管１９が接続され、このバイパス配管１９の大部分が空気調和機本体１１内に配置される。
【００１５】
従って、このバイパス配管１９も空気調和機本体１１を貫通して、一部が空気調和機本体１１外へ延在され、空気調和機本体１１との貫通部分に第３タッピング部２３が設けられる。この第３タッピング部２３は、第１タッピング部２１および第２タッピング部２２と同様に構成される。また、このバイパス配管１９には、空気調和機本体１１の内側部分にバイパス弁２０が配設されている。
【００１６】
上記二方弁１６、前バルブ１７、後バルブ１８、バイパス配管１９及びバイパス弁２０により、二方弁装置２４が構成される。
また、上述のように、コイル１２の一個につき３個の配管タッピング部（第１タッピング部２１、第２タッピング部２２及び第３タッピング部２３）が設置される。このうち、上記第３タッピング部２３と第２タッピング部２２とは略鉛直に位置付けられる。また、第３タッピング部２３は、第２タッピング部２２に対し、排出配管１５内を流れる熱媒体の下流側に、図1では第２タッピング部２２の上方に設置される。そして、排出配管１５において第２タッピング部２２の下流側に配設された二方弁１６、前バルブ１７及び後バルブ１８は、第２タッピング部２２と第３タッピング部２３との間で略鉛直方向に位置付けられ、空気調和機本体１１の側面に沿ってその近傍に配設される。
【００１７】
尚、図1中の符号２５は、熱媒体中の異物を除去するストレーナであり、符号２６は仕切弁である。また、符号２７は、コイル１２へ供給される熱媒体の流量を調整する流量調整弁である。
【００１８】
従って、上記実施の形態によれば、次の効果▲１▼〜▲５▼を奏する。
▲１▼二方弁装置２４のバイパス配管１９が空気調和機本体１１内に設置されたことから、この二方弁装置２４の二方弁１６、前バルブ１７及び後バルブ１８を空気調和機本体１１の側面に沿って配設できるので、二方弁装置２４、ひいては空気調和機１０の省スペース化を実現できる。
【００１９】
▲２▼供給配管１４と排出配管１５が、空気調和機本体１１に対し略鉛直方向に配設されたことから、これらの配管１４、１５を水平配置する従来の場合に比べ、空気調和機１０を省スペース化できる。
【００２０】
▲３▼操作が必要な二方弁装置２４の二方弁１６、前バルブ１７及び後バルブ１８が空気調和機本体１１外に設置されたことから、例えば空気調和機１０の定期点検時等において、これら二方弁１６、前バルブ１７及び後バルブ１８の操作性を向上させることができる。
【００２１】
▲４▼供給配管１４、排出配管１５が略鉛直配置されたことから、これらの供給配管１４、排出配管１５に配設される二方弁１６、前バルブ１７及び後バルブ１８などの機器を人の高さの範囲内に設置することができる。このため、これらの弁などの機器の操作性を向上させることができる。
【００２２】
▲５▼二方弁１６、前バルブ１７及び後バルブ１８が空気調和機本体１１の外側に配置されたので、これらのバルブ類を空気調和機本体１１内の劣悪な環境下（高温、低温、高湿度）に置くことを回避できる。
【００２３】
以上、本発明を上記実施の形態に基づいて説明したが、本発明はこれに限定されるものではない。
【００２４】
例えば、上記実施の形態では、空気調和機１０の空気調和機本体１１内にコイル１２が一個配置されたものを述べたが、空気調和機本体１１内にコイル１２が複数個、例えば二または三個配置されてもよい。このように、コイル１２が複数個配置された場合にも、各コイル１２から供給配管１４、排出配管１５、バイパス配管１９が延在するが、これらの供給配管１４、排出配管１５、バイパス配管１９はユニット化されてもよい。
【００２５】
また、上記実施の形態では、供給配管１４及び排出配管１５のうち、空気調和機本体１１の外側に延在する部分がともに鉛直方向に延びるものを述べたが、いずれか一方が鉛直方向に延びたものでもよい。
【００２６】
更に、上記実施の形態では、熱媒体が、排出配管１５のうち空気調和機本体１１の外側に延在する部分内を、図１における下方から上方へ流動するものを述べたが、図１における上方から下方へ流れてもよい。この場合には、バイパス配管１９が空気調和機本体１１の下側に配置されるので、バイパス配管１９に設けられた第３タッピング部２３は空気調和機本体１１の下側に配置され、排出配管１５に設けられた第２タッピング部２２は、この第３タッピング部２３の略鉛直方向上方に配置される。
【００２７】
【発明の効果】
以上のように本発明は、空気調和機本体に設置されたコイルと、このコイルへ熱媒体を供給する供給配管と、上記コイルから熱媒体を排出する排出配管と、この排出配管に設置された二方弁及びこの二方弁を迂回するバイパス配管を備えた二方弁装置と、を有する空気調和機において、二方弁装置の上記二方弁が上記空気調和機本体外に設置された構成としたので、省スペース化を実現できる。
【図面の簡単な説明】
【図１】本発明に係る空気調和機の一実施の形態を示す斜視図である。
【図２】従来の空気調和機を示す斜視図である。
【符号の説明】
１０………空気調和機、１１………空気調和機本体、１２………コイル、
１３………送風機、１４………供給配管、１５………排出配管、
１６………二方弁、１９………バイパス配管、２１………第１タッピング部、
２２………第２タッピング部、２３………第３タッピング部、
２４………二方弁装置。
【図１】
0004273685.tif 000002
【図２】
0004273685.tif 000003